(57)【要約】      （修正有）【課題】タンク内のより多くの液体が送り出されることを可能にするタンクおよび持ち上げられた槽を有する極低温液体送り出しシステムを提供する。【解決手段】極低温液体送り出しシステム１１０は、極低温液体を保持するタンク１１２と、タンク１１２の底部よりも上方の高さで極低温液体を保持するように構成された槽１３４とを有する。このシステムは、タンク１１２内の極低温液体がポンプ動作を可能にするのに十分な液体ヘッドを与えるのに十分な液位であるときに、タンク１１２の底部から送り出すために極低温液体をポンプ１２０で送るように構成され、タンク１１２内の液体がポンプ動作が極低温液体を送り出すのを可能にするのに十分な液体ヘッドを与えるのに十分な液位であるときに、槽から送り出すために極低温液体をポンプ１２０で送るように構成されている。【選択図】図２
2020091036.tif 000002
【特許請求の範囲】
【請求項１】
ａ．  極低温液体を保持する領域を規定するタンクと、
ｂ．  前記タンクの底部よりも上に持ち上げられた高さで極低温液体を保持するように構成されている領域を規定し、前記タンクと液体連通している槽と、
ｃ．  ポンプと、
ｄ．  前記タンクの前記底部および前記ポンプと液体連通している液体内の第１の供給ラインと、
ｅ．  前記タンクの前記底部と前記ポンプの間で前記第１の供給ライン内に位置する第１の供給弁と、
ｆ．  前記ポンプおよび前記槽と液体連通しているリサイクルラインと、
ｇ．  前記ポンプと前記槽との間で前記リサイクルライン内に位置するリサイクル弁と、
ｈ．  前記ポンプと前記リサイクル弁との間の位置で前記リサイクルラインと液体連通している分配ラインと、
ｉ．  前記分配ライン内の分配弁と、
ｊ．  前記槽の底部および前記ポンプと液体連通している第２の供給ラインと、
ｋ．  前記槽の前記底部と前記ポンプとの間で前記第２の供給ライン内に位置する第２の供給弁と
を備える極低温液体送り出しシステム。
【請求項２】
前記タンクは、水平タンクである、請求項１に記載の極低温液体送り出しシステム。
【請求項３】
前記第２の供給ラインは、前記ポンプと前記第１の供給弁との間の位置で前記第１の供給ラインと液体連通している、請求項１に記載の極低温液体送り出しシステム。
【請求項４】
前記槽は、前記タンクの外側に位置する、請求項１に記載の極低温液体送り出しシステム。
【請求項５】
前記槽は、前記タンクの内側に位置する、請求項１に記載の極低温液体送り出しシステム。
【請求項６】
前記槽は、前記タンクの上部に接続されている、請求項５に記載の極低温液体送り出しシステム。
【請求項７】
前記槽は、前記タンクの側壁に接続されている、請求項５に記載の極低温液体送り出しシステム。
【請求項８】
前記槽は、前記タンクの前記底部に接続されている、請求項５に記載の極低温液体送り出しシステム。
【請求項９】
極低温液体を送り出す方法であって、
ａ．  ポンプおよび極低温液体を保持する領域を規定するタンクと液体連通している第１の供給ライン内の第１の供給弁を開くステップと、
ｂ．  前記槽が前記タンクの底部よりも上に持ち上げられた高さに位置し、前記タンクと液体連通している状態で、前記ポンプおよび極低温液体を保持するように構成された領域を規定する槽と液体連通しているリサイクルライン内のリサイクル弁を開くステップと、
ｃ．  極低温液体を前記タンクの前記底から前記第１の供給ラインおよび前記リサイクルラインを通じて前記槽へポンプで送るステップと、
ｄ．  前記タンクの前記底部内の極低温液体の前記液位が極低温液体を送り出すための前記ポンプの確実な動作を可能にするのに十分である状態で、前記リサイクル弁を閉じるとともに、前記ポンプと前記リサイクル弁との間の位置で前記リサイクルラインと液体連通している分配ライン内の分配弁を開くステップと、
ｅ．  極低温液体を前記タンクの前記底部から前記第１の供給ラインおよび第１の供給弁、前記ポンプ、ならびに前記分配ラインおよび分配弁を通じてポンプで送るステップと、
ｆ．  前記タンクの前記底部内の極低温液体の前記液位が、送り出すための前記ポンプの確実な動作に必要な前記液位を下回ったときに、前記第１の供給弁を閉じるとともに、前記槽の底部および前記ポンプと液体連通している第２の供給ライン内に位置する第２の供給弁を開くステップと、
ｇ．  極低温液体を前記槽の前記底から、かつ前記第２の供給ラインおよび第２の供給弁、前記ポンプ、ならびに前記分配ラインおよび分配弁を通じてポンプで送るステップと
を含む方法。
【請求項１０】
ｈ．  送り出しが完了したときに、前記分配弁および前記第２の供給弁を閉じるステップと、
ｉ．  前記第１の供給弁および前記リサイクル弁を開くステップと、
ｊ．  前記ポンプを低速へ切り替え、液体を前記タンクの前記底部から前記槽へポンプで送るリサイクルモードで動作させるステップと、
ｋ．  前記第１の供給弁および前記リサイクル弁を開き、前記第２の供給弁を閉じるステップと、
Ｉ．  極低温液体を前記槽の前記底から、かつ前記第２の供給ラインおよび第２の供給弁、前記ポンプ、ならびに前記分配ラインおよび前記分配弁を通じてポンプで送るステップと
をさらに含む、請求項９に記載の方法。
【請求項１１】
ａ．  極低温液体を保持する領域を規定するタンクと、
ｂ．  前記タンクの底部よりも上に持ち上げられた高さで極低温液体を保持するように構成されている領域を規定し、前記タンクと液体連通している槽と、
ｃ．  第１のポンプと、
ｄ．  前記タンクの前記底部および前記第１のポンプと液体連通している第１の供給ラインと、
ｅ．  前記タンクの前記底部と前記第１のポンプとの間で前記第１の供給ライン内に位置する第１の供給弁と、
ｆ．  前記第１のポンプおよび前記タンクの上部と液体連通しているリサイクルラインと、
ｇ．  前記第１のポンプと前記タンクの前記上部との間で前記リサイクルライン内に位置するリサイクル弁と、
ｈ．  前記第１のポンプと前記リサイクル弁との間の位置で前記リサイクルラインと液体連通している分配ラインと、
ｉ．  前記分配ライン内の分配弁と、
ｊ．  前記槽の底部および前記第１のポンプと液体連通している第２の供給ラインと、
ｋ．  前記槽の前記底部と前記第１のポンプとの間で前記第２の供給ライン内に位置する第２の供給弁と、
Ｉ．  前記第１のポンプよりも比較的小さい第２のポンプと、
ｍ．  前記タンクの前記底部および前記第２のポンプと液体連通している第１の再循環ラインと、
ｎ．  前記タンクの前記底部と前記第２のポンプとの間で前記第１の再循環ライン内に位置する第１の再循環弁と、
ｏ．  前記第２のポンプおよび前記槽と液体連通している第２の再循環ラインと
を備える、極低温液体送り出しシステム。
【請求項１２】
前記第２のポンプおよび前記槽と液体連通している前記第２の再循環ライン内に位置する第２の再循環弁をさらに備える、請求項１１に記載の極低温液体送り出しシステム。
【請求項１３】
ａ．  極低温液体を保持する領域を規定するタンクと、
ｂ．  前記タンクの底部よりも上に持ち上げられた高さで極低温液体を保持するように構成されている領域を規定し、前記タンクと液体連通している槽と、
ｃ．  第１のポンプと、
ｄ．  前記タンクの前記底部および前記第１のポンプと液体連通している第１の供給ラインと、
ｅ．  前記タンクの前記底部と前記第１のポンプとの間で前記第１の供給ライン内に位置する第１の供給弁と、
ｆ．  前記第１のポンプよりも比較的小さい第２のポンプと、
ｇ．  前記タンクの前記底部および前記槽と液体連通しているリサイクルラインと、
ｈ．  前記タンクの前記底部と前記槽との間で前記リサイクルライン内に位置する前記第２のポンプと、
ｉ．  前記タンクの前記底部と前記第２のポンプとの間で前記リサイクルライン内に位置するリサイクル弁と、
ｊ．  前記槽の底部および前記第１のポンプと液体連通している第２の供給ラインと、
ｋ．  前記槽の前記底部と前記第１のポンプとの間で前記第２の供給ライン内に位置する第２の供給弁と、
Ｉ．  前記第１のポンプと液体連通している分配ラインと、
ｍ．  前記分配ライン内の分配弁と
を備える極低温液体送り出しシステム。
【発明の詳細な説明】
【技術分野】
【０００１】
優先権の主張
[0001]本出願は、２０１８年１２月７日に出願した米国仮出願第６２／７７６，６８８号、および２０１９年１月１１日に出願した米国仮出願第６２／７９１，２８５号の利益を主要するものであり、両者の内容は、参照により本明細書に組み込まれる。
【０００２】
技術分野
[0002]本開示は、一般に、極低温液体送り出しシステムに関し、より詳細には、タンク内のより多くの液体が送り出されることを可能にするタンクおよび持ち上げられた槽を有する極低温液体送り出しシステムに関する。
【背景技術】
【０００３】
[0003]極低温流体、すなわち、大気圧で概して１５０℃未満の沸点を有する流体は、自動車用途および産業用途などの様々な用途に使用されている。典型的には、極低温流体は、体積を減少させ、したがってより実際的かつ経済的な設計のコンテナが使用されることを可能にするために液体として貯蔵される。しばしば、液体は、周囲環境から極低温液体の中への熱伝達を減少させるために、内側容器壁と外側容器壁の間が断熱として真空状態の二重壁のバルクタンクまたはバルクコンテナ内に貯蔵される。
【０００４】
[0004]典型的には、液化天然ガス（ＬＮＧ）などの極低温液体の送り出しは、例えば、ＬＮＧ燃料自動車が、燃料補給するためにＬＮＧ燃料ステーションにやって来たときに、断続的に必要とされる。送り出し中、極低温液体が、タンクからポンプの使用によって取り出され得る。通常、このポンプは、ポンプの十分な冷却を確実にするために別個の容器内で極低温液体中に浸漬される。ポンプは、燃料注入、始動、および稼働するためにある液体圧力ヘッドまたは液体ヘッドを必要とする。通常、この液体ヘッドは、必要正味吸込みヘッド（ＮＰＳＨ：Ｎｅｔ  Ｐｏｓｉｔｉｖｅ  Ｓｕｃｔｉｏｎ  Ｈｅａｄ）と呼ばれ、それは、ポンプの設計パラメータである。
【０００５】
[0005]極低温液体送り出しシステム１０の先行技術の構成の一例は、ＬＮＧ燃料補給所として図１に概略的に示されている。極低温液体送り出しシステム１０は、ある供給量の極低温液体１４を収容する水平タンク１２（その垂直断面積よりも大きい水平断面積を有するタンク）を備え、この極低温液体１４の上方には蒸気ヘッドスペース１６がある。供給導管またはライン１８は、タンク１２の底に第１の端部１８ａで接続されているとともに、容器２２中に浸漬されているポンプ２０に第２の端部１８ｂで接続されている。供給弁２４は、タンク１２の底における供給ライン１８の第１の端部１８ａとポンプ２０における供給ライン１８の第２の端部１８ｂとの間で供給ライン１８内に設置されている。リサイクル導管またはライン２６は、ポンプ２０に第１の端部２６ａで接続されているとともに、タンク１２の上に第２の端部２６ｂで接続されている。リサイクル弁２８は、ポンプ２０におけるライン２６の第１の端部２６ａとタンク１２の上における第２の端部２６ｂとの間でリサイクルライン２６内に設置されている。送り出し導管またはライン３０は、極低温液体１４を送り出すために使用されるとともに、ポンプ２０における第１の端部２６ａとリサイクル弁２８との間でリサイクルライン２６に接続されている。分配弁３２は、送り出された極低温液体１４の流れを制御するために分配ライン３０に設置されている。
【０００６】
[0006]極低温液体１４の送り出しが要求されないとき、ポンプ２０は、動作しておらず、供給弁２４が閉位置にあって冷却状態に維持される。極低温液体１４の送り出しが要求されるとき、ポンプ２０は、リサイクルモードで始動され、供給弁２４およびリサイクル弁２８は開位置にあり、一方、分配弁３２はい閉じられている。動作パラメータが安定しているときにのみ、分配弁３２が開き、リサイクル弁２８が閉じる。次いで、必要量の極低温液体１４が、分配ライン３０および分配弁３２を介して送達される。必要量の極低温液体１４が送り出された後、ポンプ２０は停止させられ、分配弁３２は閉じられ、送り出しシステム１０は 次の送り出しイベントを待機する。
【０００７】
[0007]しかしながら、タンク１２およびポンプ２０に接続された供給ライン１８中を流れる極低温液体は、圧力損失につながる、例えば、供給ライン中の摩擦、および方向および断面の変化を含む流れの障害に打ち勝たなければならない。この圧力損失は、流量の平方に比例し、ポンプのＮＰＳＨの要件を満たすのに必要な液体コラムヘッドに影響を与える。液体ヘッドは、ポンプ２０の上方のタンク１２内の極低温液体１４の相対高さＸに依存する。
【０００８】
[0008]したがって、ポンプが確実に動作するために、タンク内の極低温液体１４の液位がポンプ１４の吸引点の上方となる高さの相対的な差Ｘによって確立された利用可能な液体ヘッドは、ポンプのＮＰＳＨおよび圧力損失の合計よりも大きいかまたはそれと少なくとも等しくなければならない。タンク１２内の極低温液体１４の液位がポンプ２０によって必要とされる液体ヘッドを提供するのに必要な高さよりも低いとき、ポンプ２０は、液体を駆動して送り出すことができず、タンク１２内の極低温液体１４の一部は、利用することができない。タンク１２全体をポンプ２０の十分上方に設けることによって、液体ヘッドを増大させることができるが、これは、 送り出しシステムの物理的寸法の増大により、望ましくない。したがって、極低温液体送り出しシステムは、一般に、タンク内の極低温液体の望ましい利用を満たさないことに悩まされており、液体ヘッド、またはタンク内の残りの極低温液体が、所望のものよりも大きい体積であるとき、タンクを補充することが必要になる。
【発明の概要】
【発明が解決しようとする課題】
【０００９】
[0009]本明細書中に開示された例示実施形態は、先行技術の送り出しシステムの欠点を克服する有利な極低温液体送り出しシステムを提供する。開示された極低温液体送り出しシステムは、タンクからより多くの極低温液体を送り出すことに関して、タンクの底から極低温流体をポンプで送るときにさもなければ可能であるものよりも大きい利用を提供することができる。システムは、タンクの底よりも上方の高さに位置するとともにタンク内の極低温液体の液位によって与えられる液体ヘッドがポンプの確実な動作に不十分であるときに利用される持ち上げられた槽を備える。そのような状況では、タンク内の極低温液体は、より大きい液体ヘッドを確立するために持ち上げられた槽へポンプで送られ、次いで、この極低温液体は、槽からポンプで送られ、それによってタンク内の極低温液体の利用を増加させる。
【課題を解決するための手段】
【００１０】
[0010]一態様では、極低温液体を保持する領域を規定するタンクと、タンクの底部の上方の高さで極低温液体を保持するように構成されている領域を規定するとともにタンクと液体連通している槽と、ポンプとを備える極低温液体送り出しシステムが開示されている。上記システムは、タンクの底部およびポンプと液体連通している第１の供給ラインと、タンクの底部とポンプの間で第１の供給ライン内に位置する第１の供給弁と、ポンプおよび槽と液体連通しているリサイクルラインと、ポンプと槽との間でリサイクルライン内に位置するリサイクル弁と、ポンプとリサイクル弁との間の位置で第２のラインと液体連通している分配ラインと、分配ライン内の分配弁と、槽の底部およびポンプと液体連通している第２の供給ラインと、槽の底部とポンプとの間で第２の供給ライン内に位置する第２の供給弁とをさらに含む。
【００１１】
[0011]一態様では、ポンプおよび極低温液体を保持する領域を規定するタンクと液体連通している第１の供給ライン内の第１の供給弁を開くステップと、槽がタンクの底部よりも上に持ち上げられた高さに位置し、タンクと液体連通している状態で、ポンプおよび極低温液体を保持するように構成された領域を規定する槽と液体連通しているリサイクルライン内のリサイクル弁を開くステップと、極低温液体をタンクの底から第１の供給ラインおよびリサイクルラインを通じて槽へポンプで送るステップとを含む極低温液体を送り出す方法が開示されている。上記方法は、タンク内の極低温液体の液位が、極低温液体を送り出すためのポンプの確実な動作を可能にするのに十分である状態で、リサイクル弁を閉じるとともに、ポンプとリサイクル弁との間の位置でリサイクルラインと液体連通している分配ライン内の分配弁を開くステップと、極低温液体をタンクの底から第１の供給ラインおよび第１の供給弁、ポンプ、ならびに分配ラインおよび分配弁を通じてポンプで送るステップとをさらに含む。上記方法は、タンク内の極低温液体の液位が、送り出すためのポンプの確実な動作に必要な液位を下回ったときに、第１の供給弁を閉じるとともに、槽の底部およびポンプと液体連通している第２の供給ライン内に位置する第２の供給弁を開くステップと、極低温液体を槽の底から、かつ第２の供給ラインおよび第２の供給弁、ポンプ、ならびに分配ラインおよび分配弁を通じてポンプで送るステップとをさらに含む。
【００１２】
[0012]さらなる態様では、極低温液体を保持する領域を規定するタンクと、タンクの底部よりも上に持ち上げられた高さで極低温液体を保持するように構成されている領域を規定し、タンクと液体連通している槽と、第１のポンプとを備える極低温液体送り出しシステムが開示されている。上記システムは、タンクの底部および第１のポンプと液体連通している第１の供給ラインと、タンクの底部と第１のポンプとの間で第１の供給ライン内に位置する第１の供給弁と、第１のポンプおよびタンクの上部と液体連通しているリサイクルラインと、第１のポンプとタンクの上部との間でリサイクルライン内に位置するリサイクル弁と、第１のポンプとリサイクル弁との間の位置でリサイクルラインと液体連通している分配ラインと、分配ライン内の分配弁とをさらに備える。また、システムは、槽の底部および第１のポンプと液体連通している第２の供給ラインと、槽の底部と第１のポンプとの間で第２の供給ライン内に位置する第２の供給弁と、第１のポンプよりも比較的小さい第２のポンプと、タンクの底部および第２のポンプと液体連通している第１の再循環ラインと、タンクの底部と第２のポンプとの間で第１の再循環ライン内に位置する第１の再循環弁と、第２のポンプおよび槽と液体連通している第２の再循環ラインとを備える。
【００１３】
[0013]さらに別の態様では、極低温液体を保持する領域を規定するタンクと、タンクの底部よりも上に持ち上げられた高さで極低温液体を保持するように構成されている領域を規定し、タンクと液体連通している槽と、第１のポンプとを備える極低温液体送り出しシステムが開示されている。上記システムは、タンクの底部および第１のポンプと液体連通している第１の供給ラインと、タンクの底部と第１のポンプとの間で第１の供給ライン内に位置する第１の供給弁と、第１のポンプよりも比較的小さい第２のポンプと、タンクの底部および槽と液体連通しているリサイクルラインと、タンクの底部と槽との間でリサイクルライン内に位置する第２のポンプとをさらに備える。また、システムは、タンクの底部と第２のポンプとの間でリサイクルライン内に位置するリサイクル弁と、槽の底部および第１のポンプと液体連通している第２の供給ラインと、槽の底部と第１のポンプとの間で第２の供給ライン内に位置する第２の供給弁と、第１のポンプと液体連通している分配ラインと、分配ライン内の分配弁とを備える。
【００１４】
[0014]前述の一般的な説明と後述の詳細な説明の両方は、例示であり、説明のために与えられるものに過ぎず、権利主張された主題事項の限定ではないことを理解されたい。本開示のさらなる特徴および目的は、好適な実施形態の以下の説明においておよび添付の特許請求の範囲からより十分に明らかになるであろう。
【００１５】
[0015]好適な例示実施形態を説明する際に、添付図面の各図の参照がなされ、同じ部分は同様に参照番号を有する。
【図面の簡単な説明】
【００１６】
【図１】[0016]先行技術の極低温液体送り出しシステムの概略図である。
【図２】[0017]本発明による極低温液体送り出しシステムの第１の例示実施形態の概略図である。
【図３】[0018]図２に示された極低温液体送り出しシステムの第１の例示実施形態の第１の代替部分の概略図である。
【図４】[0019]図２に示された極低温液体送り出しシステムの第１の例示実施形態の第２の代替部分の概略図である。
【図５】[0020]図２に示された極低温液体送り出しシステムの第１の例示実施形態の第３の代替部分の概略図である。
【図６】[0021]図２に示された極低温液体送り出しシステムの第１の例示実施形態の第４の代替部分の概略図である。
【図７】[0022]図２に示された極低温液体送り出しシステムの第１の例示実施形態の第５の代替部分の概略図である。
【図８】[0023]図２に示された極低温液体送り出しシステムの第１の例示実施形態の第６の代替部分の概略図である。
【図９】[0024]タンク内の液体を再循環させることができる通常のシステムのポンプとタンクの上部内の槽へ液体を再循環させることができる別個の比較的小さいポンプとを有する本発明による極低温液体送り出しシステムの第２の実施形態の概略図である。
【図１０】[0025]タンクから液体を送り出すのに使用される通常のシステムのポンプとタンクの上部内の槽へ液体を再循環させるのに使用される別個の比較的小さいポンプとを有する本発明による極低温液体送り出しシステムの第３の実施形態の概略図である。
【発明を実施するための形態】
【００１７】
[0026]図面は原寸に比例していないことを理解されたい。例示の送り出しシステムおよび代替構成の一部の機械的な説明が含まれていないが、そのような詳細は、本開示の観点から当業者の理解の範囲内に十分あるとみなされる。本発明は、図示の例示実施形態に限定されないことも理解されたい。
【００１８】
[0027]本発明により構成された極低温液体送り出しシステム１１０の第１の例示実施形態は、ＬＮＧ燃料補給所として概略的に示されている図２に示されている。極低温液体送り出しシステム１１０は、極低温液体１１４を保持する領域を規定するタンク１１２を備え、蒸気ヘッドスペース１１６は、極低温液体１１４の上方にある。第１の供給導管またはライン１１８は、タンク１１２の底部と第１の端部１１８ａで液体連通しているとともに、別個の容器またはサンプ１２２中に浸漬されているポンプ１２０と第２の端部１１８ｂで液体連通している。タンク１１２からの液体は、サンプ１２２へ流れ、それによってポンプ１２０の入口と液体連通するようになっているとともに、ポンプ１２０を液体中に浸漬させるようになっており、ポンプ１２０の十分な冷却を維持するようになっている。第１の供給弁１２４は、タンク１１２の底部における第１の供給ライン１１８の第１の端部１１８ａとポンプ１２０における第１の供給ライン１１８の第２の端部１１８ｂとの間で第１の供給ライン１１８内に位置する。液体ヘッドは、タンク１１２内の極低温液体１１４の液位がポンプ１２０の吸引点の上方となる高さの相対的な差Ｘによって確立されると理解されよう。また、ポンプ１２０が確実に動作するために、液体ヘッドは、ポンプのＮＰＳＨとポンプ入口へ流れる液体によって受ける圧力損失との合計よりも大きいかまたはそれと少なくとも等しくなければならない。
【００１９】
[0028]リサイクル導管またはライン１２６は、ポンプ１２０と第１の端部１２６ａで液体連通しているとともに、タンク１１２の底部よりも上に持ち上げられた高さで極低温液体１３５を保持するように構成された領域を規定する槽１３４と第２の端部１２６ｂで液体連通しており、この槽１３４は、タンク１１２と液体連通している。槽１３４は、タンク１１２の上部においてタンク１１２内で吊り下げられ、上向きに広がる開口部を有する。リサイクル弁１２８は、ポンプ１２０におけるリサイクルライン１２６の第１の端部１２６ａと槽１３４における第２の端部１２６ｂとの間でリサイクルライン１２６内に位置する。
【００２０】
[0029]送り出し導管またはライン１３０は、ポンプ１２０における第１の端部１２６ａとリサイクル弁１２８との間の位置でリサイクルライン１２６と液体連通している。分配弁１３２は、送り出された極低温液体１１４の流れを制御するために分配ライン１３０内に位置する。
【００２１】
[0030]第２の供給導管またはライン１３６は、槽１３４の底部と第１の端部１３６ａで液体連通しているとともに、ポンプ１２０と第２の端部１１８ｂで液体連通している。第２の供給弁１３８は、槽１３４の底部における第１の端部１３６ａとポンプ１２０における第２の端部１３６ｂとの間で第２の供給ライン１３６内に位置する。極低温液体を槽１３４から第２の供給ライン１３６を通じて引き出すときに、槽１３４内の極低温液体１３５の液位がポンプ１２０の吸引点の上方となる高さの相対的な差Ｘ’によって確立された液体ヘッドは、極低温液体がタンク１１２内で低い液位にあるときにさもなければ確立される液体ヘッドより大きくなると理解されよう。適宜、第１およびの第２の供給弁１２４および１３８は、三方弁と置き換えられてもよいということも理解されよう。
【００２２】
[0031]極低温液体１１４の送り出しが要求されないとき、ポンプ１２０は、動作しておらず、第１の供給弁１２４が開位置にあってサンプ１２２内の液体によって冷却状態に維持される。
【００２３】
[0032]極低温液体１１４の送り出しが要求されるとき、ポンプ１２０は、第１の供給弁１２４およびリサイクル弁１２８が開位置にあり、分配弁が１３２が閉位置にある状態で、リサイクルモードで始動され、極低温液体１１４をタンク１１２の底部から槽１３４へポンプで送ることが可能になっている。ポンプ１２０によって循環させられる極低温液体は、槽１３４内に一杯になるまで集められる。さらにポンプで送られる液体が槽に入るとき、溢れる液体は、槽の下方に位置するタンク１１ｌ２の内部へ向けられる。
【００２４】
[0033]システムの動作パラメータが安定しているとき、タンク１１２の底部内の極低温液体の液位が、ポンプ１２０の確実な動作を支持するように液体ヘッドを与えるのに十分である場合、リサイクル弁１２８は閉じられ、分配弁１３２は開かれる。図２に示されるように、分配弁１３２は、分配ライン１３０内に配置され、この分配ライン１３０は、ポンプ１２０とリサイクル弁１２８との間の位置でリサイクルライン１２６と液体連通している。次いで、タンク１１２の底部内の極低温液体の液位が、ポンプ１２０の確実な動作を支持する液体ヘッドを与えるのに十分である限り、必要量の極低温液体１１４が、分配ライン１３０および分配弁１３２を介して送達される。必要量の極低温液体１１４が送り出された後、ポンプ１２０は停止させられ、分配弁１３２は閉じられ、送り出しシステム１１０は次の送り出しイベントを待機する。
【００２５】
[0034]しかしながら、タンク１１２内の極低温液体１１４の液位が、送り出すためのポンプ１２０の確実な動作に必要な液位を下回るとき、第１の供給ライン１１８内の第１の供給弁１２４は閉じられ、槽１３４の底部およびポンプ１２０と液体連通している第２の供給ライン１３６内の第２の供給弁１３８が開かれる。ここで、液体ヘッドは、槽１３４内の極低温液体１３５の液位がポンプ１２０の吸引点の上方となるかつポンプ１２０が確実に動作する高さの相対的な差Ｘ’に基づいており、液体ヘッドは、ポンプＮＰＳＨと圧力損失の合計よりも大きいかまたはそれと少なくとも等しくなければならない。次いで、極低温液体は、槽１３４の底部から、かつ第２の供給ライン１３６および第２の供給弁１３８、ポンプ１２０、ならびに分配ライン１３０および分配弁１３２を通じてポンプで送られる。
【００２６】
[0035]送り出しが完了すると、分配弁１３２および第２の供給弁１３８は閉じられる。第１の供給弁１２４およびリサイクル弁１２８は開かれる。ポンプ１２０は、リサイクルモードで動作するために低速へ切り替えられる。この低速は、低い流量、例えば、送り出し流量の約３分の１となることを意味する。低いポンプ速度および低い流量により、吸引ラインまたは第２の供給ライン１３６の圧力損失は、相当低くなる。送り出し速度における圧力損失が１ｍｂであった場合、低速で、それは、１／３＾２＝０．１１ｍｂである。結果として、低速のポンプの動作において、タンク１１２内のより低い液体液位は、ポンプのＮＰＳＨ要件を満たすのに十分である。槽１３４が一杯であるとき、ポンプ１２０は停止させられ、送り出しシステムは、次の燃料補給要求を待ち、これは、槽１３４からの液体を用いて実行される。これは、送り出しシステムの物理的寸法を増大させる必要なく、タンク内の極低温液体の利用をかなり大きくすることを可能にする。
【００２７】
[0036]したがって、本明細書中の極低温液体送り出しシステム１１０を用いた極低温液体を送り出す方法が開示されており、ポンプ１２０と極低温液体１１４を保持する領域を規定するタンク１１２とに液体連通している第１の供給ライン１１８内の第１の供給弁１２４を開くステップと、ポンプ１２０と極低温液体を保持するように構成された領域を規定する槽１３４とに液体連通しているリサイクルライン１２６内のリサイクル弁１２８を開くステップであって、上記槽１３４は、タンク１１２の底部よりも上に持ち上げられた高さにあり、タンク１１２と液体連通している、開くステップと、極低温液体をタンク１１２の底から第１の供給ライン１１８およびリサイクルライン１２６を通じて槽１３４へポンプで送るステップであって、溢れている液体は、下方でタンク１１２の内部空間へ移動する、ポンプで送るステップとを含むものとして説明され得る。
【００２８】
[0037]方法は、システムの動作パラメータが安定しており、タンク１１２内の極低温液体の液位が極低温液体を送り出すためのポンプ１２０の確実な動作を可能にするのに十分であるとき、リサイクル弁１２８を閉じ、ポンプ１２０とリサイクル弁１２８との間の位置でリサイクルライン１２６と液体連通している分配ライン１３０内の分配弁１３２を開くステップと、極低温液体をタンク１１２の底から第１の供給ライン１１８および第１の供給弁１２４、ポンプ１２０、ならびに分配ライン１３０および分配弁１３２を通じてポンプで送るステップとをさらに含む。
【００２９】
[0038]上記方法は、タンク１１２内の極低温液体の液位が、送り出すためのポンプ１２０の確実な動作に必要とされる液位を下回るとき、第１の供給弁１２４を閉じ、槽１３４の底部およびポンプ１２０と液体連通している第２の供給ライン１３６内に位置する第２の供給弁１３８を開くステップと、極低温液体を槽１３４の底から第２の供給ライン１３６および第２の供給弁１３８、ポンプ１２０、ならびに分配ライン１３０および分配弁１３２を通じてポンプで送るステップとをさらに含む。この方法は、槽１３４からの送り出しが完了したときに、分配弁１３２および第２の供給弁１３８を閉じるステップと、第１の供給弁１２４およびリサイクル弁１２８を開くステップと、ポンプ１２０を低速へ切り替え、液体をタンク１１２の底部から槽へポンプで送るリサイクルモードで動作させるステップとをさらに含む。槽が一杯であるとき、ポンプは停止させられ得る。
【００３０】
[0039]図３〜図８は、図２に示された第１の例示実施形態のいくつかの代替部分を与え、これらは、同様原理によって動作するが、図２に示された例とは異なって構成された部分を含む。図２に示された例に対して、図３〜図８に示された例は、同じポンプ、リサイクルラインおよびリサイクル弁、同じ分配ラインおよび分配弁を用いて動作することが意図されている。図３〜図８に示された例は、タンク、槽および第２の供給ラインの構成に対して異なり、各々は、第２の供給ラインおよび第２の供給弁をさらに含んでいる一方、第１の供給ラインおよび第１の供給弁は、図２に示された第１の例と実質的に同じである。
【００３１】
[0040]図３では、タンク２１２は、極低温液体２１４を保持する領域を規定するとともに、タンク２１２の底部よりも上に持ち上げられた高さで極低温液体２３５を保持するように構成された領域を規定する槽２３４を含む。槽２３４は、タンク２１２の側壁から吊り下げられ、槽２３４の上部に開口を備え、槽２３４は、タンク２１２の底部よりも高い液位で極低温液体を保持する潜在性を有する。第１の供給ライン２１８および第１の供給弁２２４は、タンク２１２の底部と液体連通している一方、第２の供給ライン２３６および第２の供給弁２３８は、槽２３４の底部と液体連通しており、リサイクルライン２２６は、ポンプで送られた流体をタンク２１２の上部および槽２３４内の上向き開口を通じて槽２３４へ向ける。第１の例示実施形態にあるように、適宜、第１および第２の供給弁２２４および２３８は、三方弁と置き換えられてもよいということも理解されよう。これらの代替の構成要素を組み込む極低温液体送り出しシステムは、極低温液体送り出しシステム１１０について上で開示された同じ方法によってならびに同じポンプ送りおよび送り出し構成要素を用いて動作させられる。
【００３２】
[0041]図４では、タンク３１２は、極低温液体３１４を保持する領域を規定するとともに、タンク３１２の底部よりも上に持ち上げられた高さで極低温液体３３５を保持するように構成された領域を規定する槽３３４を含む。槽３３４は、タンク３１２の上壁から吊り下げられ、槽３３４の上部に開口を備え、槽３３４は、タンク３１２の底部よりも高い液位で極低温液体を保持する潜在性を有する。第１の供給ライン３１８および第１の供給弁３２４は、タンク３１２の底部と液体連通している一方、第２の供給ライン３３６および第２の供給弁３３８は、槽３３４の底部と液体連通しており、リサイクルライン３２６は、ポンプで送られた流体をタンク３１２の上部および槽３３４内の上向き開口を通じて槽３３４へ向ける。第１の例示実施形態にあるように、適宜、第１および第２の供給弁３２４および３３８は、三方弁と置き換えられてもよいということも理解されよう。これらの代替の構成要素を組み込む極低温液体送り出しシステムは、極低温液体送り出しシステム１１０について上で開示された同じ方法によって動作させられる。
【００３３】
[0042]図５では、タンク４１２は、極低温液体４１４を保持する領域を規定するとともに、タンク４１２の底部よりも上に持ち上げられた高さで極低温液体４３５を保持するように構成された領域を規定する槽４３４を含む。槽４３４は、タンク４１２の側壁を組み込み、槽４３４の上部に開口を備え、槽は、タンク４１２の底部よりも高い液位で極低温液体を保持する潜在性を有する。第１の供給ライン４１８および第１の供給弁４２４は、タンク４１２の底部と液体連通している一方、第２の供給ライン４３６および第２の供給弁４３８は、槽４３４の底部と液体連通しており、リサイクルライン４２６は、ポンプで送られた流体をタンク４１２の上部および槽４３４内の上向き開口を通じて槽４３４へ向ける。第１の例示実施形態にあるように、適宜、第１および第２の供給弁４２４および４３８は、三方弁と置き換えられてもよいということも理解されよう。これらの代替の構成要素を組み込む極低温液体送り出しシステムは、極低温液体送り出しシステム１１０について上で開示された同じ方法によってならびに同じポンプ送りおよび送り出し構成要素を用いて動作させられる。
【００３４】
[0043]図６では、タンク５１２は、極低温液体５１４を保持する領域を規定するとともに、タンク５１２の底部よりも上に持ち上げられた高さで極低温液体５３５を保持するように構成された領域を規定する槽５３４を含む。槽５３４は、タンク５１２の側壁を組み込み、槽５３４の上部に開口を備え、槽は、タンク５１２の底部よりも高い液位で極低温液体を保持する潜在性を有する。第１の供給ライン５１８および第１の供給弁５２４は、タンク５１２の底部と液体連通している一方、第２の供給ライン５３６および第２の供給弁５３８は、槽５３４の底部と液体連通しており、リサイクルライン５２６は、ポンプで送られた流体をタンク５１２の上部および槽５３４内の上向き開口を通じて槽５３４へ向ける。第１の例示実施形態にあるように、適宜、第１および第２の供給弁５２４および５３８は、三方弁と置き換えられてもよいということも理解されよう。これらの代替の構成要素を組み込む極低温液体送り出しシステムは、極低温液体送り出しシステム１１０について上で開示された同じ方法によってならびに同じポンプ送りおよび送り出し構成要素を用いて動作させられる。
【００３５】
[0044]図７では、タンク６１２は、極低温液体６１４を保持する領域を規定するとともに、タンク６１２の底部よりも上に持ち上げられた高さで極低温液体６３５を保持するように構成された領域を規定する槽６３４を含む。槽６３４は、タンク６１２の上壁からウェブ６３７によって吊り下げられ、槽６３４の上部に開口を備え、槽６３４は、タンク６１２の底部よりも高い液位で極低温液体を保持する潜在性を有する。第１の供給ライン６１８および第１の供給弁６２４は、タンク６１２の底部と液体連通している一方、第２の供給ライン６３６および第２の供給弁６３８は、槽６３４の底部と液体連通しており、リサイクルライン６２６は、ポンプで送られた流体をタンク６１２の上部および槽６３４内の上向き開口を通じて槽６３４へ向ける。第１の例示実施形態にあるように、適宜、第１および第２の供給弁６２４および６３８は、三方弁と置き換えられてもよいということも理解されよう。これらの代替の構成要素を組み込む極低温液体送り出しシステムは、極低温液体送り出しシステム１１０について上で開示された同じ方法によってならびに同じポンプ送りおよび送り出し構成要素を用いて動作させられる。
【００３６】
[0045]図８では、極低温液体送り出しシステム構成要素は、極低温液体７１４を保持する領域を規定するとともに、タンク７１２の底部よりも上に持ち上げられた高さで極低温液体７３５を保持するように構成された領域を規定する槽７３４を含むタンク７１２を備える。槽７３４は、タンク７１２の側壁から（またはタンク７１２から独立した別の構造から）外部で吊り下げられ、槽７３４は、タンク７１２の底部よりも高い液位で極低温液体を保持する潜在性を有する。槽７３４は、 タンク７１２の底部よりも上方の高さに位置し、さもなければタンク７１２内の極低温液体の液位があまりに低くてそうすることができない場合でも、ポンプに十分な液体ヘッドを発生させるために使用することができるようになっている。槽７３４は、槽７３４内の液位がその容積を超える場合に、リサイクルライン７２６を介して槽７３４に入る極低温液体がタンク７１２の中に溢れることを可能にする導管または溢れライン７３７を有する。第１の供給ライン７１８および第１の供給弁７２４は、タンク７１２の底部と液体連通している一方、第２の供給ライン７３６および第２の供給弁７３８は、槽７３４の底部と液体連通しており、リサイクルライン７２６は、ポンプで送られた流体を槽７３４の上部を通じて槽７３４へ向ける。第１の例示実施形態にあるように、適宜、第１および第２の供給弁７２４および７３８は、三方弁と置き換えられてもよいということも理解されよう。槽７３４から溢れライン７３７を介してタンク７１２への極低温流体の伝達の変化がなければ、これらの代替の構成要素を組み込む極低温液体送り出しシステムは、極低温液体送り出しシステム１１０について上で開示された同じ方法によってならびに同じポンプ送りおよび送り出し構成要素を用いて動作させられる。
【００３７】
[0046]本発明により構成された極低温液体送り出しシステム８１０の第２の例示実施形態は、ＬＮＧ燃料補給所として概略的に示された図９に示されている。第２の例示実施形態は、第１の例示実施形態と類似するが、システム８１０は、液体をタンクの底から持ち上げられた槽へ繰り出すための専用である比較的小さいポンプを含み、一方、主ポンプは、液体をタンクへ再循環させるまたは液体を送り出すために使用することができる。
【００３８】
[0047]したがって、極低温液体送り出しシステム８１０は、極低温液体８１４を保持する領域を規定するタンク８１２を備え、蒸気ヘッドスペース８１６は、極低温液体８１４の上方にある。第１の供給導管またはライン８１８は、タンク８１２の底部と第１の端部８１８ａで液体連通しているとともに、別個の容器またはサンプ８２２中に浸漬されているポンプ８２０と第２の端部８１８ｂで液体連通している。タンク８１２からの液体は、サンプ８２２へ流れ、それによってポンプ８２０の入口と液体連通するようになっているとともに、ポンプ８２０を液体中に浸漬させるようになっており、ポンプ８２０の十分な冷却を維持するようになっている。第１の供給弁８２４は、タンク８１２の底部における第１の供給ライン８１８の第１の端部８１８ａとポンプ８２０における第１の供給ライン８１８の第２の端部８１８ｂとの間で第１の供給ライン８１８内に位置する。第１の例示実施形態におけるのと同様に、液体ヘッドは、タンク８１２内の極低温液体８１４の液位がポンプ８２０の吸引点の上方となる高さの相対的な差によって確立されると理解されよう。また、ポンプ８２０が確実に動作するために、液体ヘッドは、ポンプのＮＰＳＨとポンプ入口へ流れる液体によって受ける圧力損失との合計よりも大きいかまたはそれと少なくとも等しくなければならない。
【００３９】
[0048]リサイクル導管またはライン８２６は、ポンプ８２０と第１の端部８２６ａで液体連通しているとともに、タンク８１２の上部と第２の端部８２６ｂで液体連通しており、必要に応じて、主ポンプ８２０の使用によって極低温液体の再循環を可能にしている。したがって、リサイクル弁８２８は、ポンプ８２０におけるリサイクルライン８２６の第１の端部８２６ａとタンク８１２上の上部における第２の端部８２６ｂとの間でリサイクルライン８２６内に位置する。
【００４０】
[0049]タンク８１２の底部よりも上に持ち上げられた高さで極低温液体８３５を保持するように構成された領域を規定する槽８３４が設けられ、槽８３４は、タンク８１２と液体連通している。槽８３４は、タンク８１２の上部においてタンク８１２内で吊り下げられ、上向きに広がる開口部を有する。再循環回路は、タンク８１２の底部と第１の端部８４０ａで液体連通する再循環供給導管またはライン８４０を備えるとともに、再循環ポンプ８４２と第２の端部８４０ｂで液体連通している。再循環供給弁８４４は、タンク８１２の底部における第１の端部８４０ａとポンプ８４２における第２の端部８４０ｂとの間で再循環供給ライン８４０内に位置する。再循環ポンプ８４２は、それが送り出しに使用されないので、通常の主ポンプ８２０よりも低い性能パラメータを有し得る比較的小さいポンプであることが理解されよう。したがって、ポンプ８４２は、より小さいＮＰＳＨも有する。
【００４１】
[0050]そして、再循環回路は、再循環ポンプ８４２におけるリサイクルライン８４６の第１の端部８４６ａと槽８３４における第２の端部８４６ｂとの間で リサイクルライン８４６内に位置するリサイクル弁８４８を有するリサイクルライン８４６によって完成され得る。
【００４２】
[0051]送り出し導管またはライン８３０は、ポンプ８２０における第１の端部８２６ａとリサイクル弁８２８との間の位置でリサイクルライン８２６と液体連通している。分配弁８３２は、送り出された極低温液体８１４の流れを制御するために分配ライン８３０内に位置する。
【００４３】
[0052]第２の供給導管またはライン８３６は、槽８３４の底部と第１の端部８３６ａで液体連通しているとともに、ポンプ８２０と第２の端部８１８ｂで液体連通している。第２の供給弁８３８は、槽８３４の底部における第１の端部８３６ａとポンプ８２０における第２の端部８３６ｂとの間で第２の供給ライン８３６内に位置する。極低温液体を槽８３４から第２の供給ライン８３６を通じて引き出すときに、槽８３４内の極低温液体８３５の液位がポンプ８２０の吸引点の上方となる高さの相対的な差によって確立された液体ヘッドは、極低温液体がタンク８１２内で低い液位にあるときにさもなければ確立される液体ヘッドより大きくなると理解されよう。適宜、第１およびの第２の供給弁８２４および８３８は、三方弁と置き換えられてもよいということも理解されよう。
【００４４】
[0053]第２の例示実施形態のシステム８１０は、第１の例示実施形態のシステム１１０と同様に動作し得るが、タンク内の液体が所望の液位未満に降下するときに、比較的小さいポンプ８４２が動作せられ得、それによって、システムがさもなければ液体を送り出すのに十分なヘッド圧力を与えないときに、持ち上げられた槽８３４から極低温液体を引き出すことによってタンク８１２内の極低温液体を利用し続けるようになっている。
【００４５】
[0054]本発明により構成された極低温液体送り出しシステム９１０の第３の例示実施形態は、ＬＮＧ燃料補給所として概略的に示された図１０に示されている。第３の例示実施形態は、第１および第２の例示実施形態と類似するが、システム９１０は、液体をタンクの底から持ち上げられた槽へ繰り出すための専用である比較的小さいポンプを含み、一方、主ポンプは、体を再循環させる潜在性を有さず、むしろ極低温液体を送り出すために使用するための専用である。
【００４６】
[0055]したがって、極低温液体送り出しシステム９１０は、極低温液体９１４を保持する領域を規定するタンク９１２を備え、蒸気ヘッドスペース９１６は、極低温液体９１４の上方にある。第１の供給導管またはライン９１８は、タンク９１２の底部と第１の端部９１８ａで液体連通しているとともに、別個の容器またはサンプ９２２中に浸漬されているポンプ９２０と第２の端部９１８ｂで液体連通している。タンク９１２からの液体は、サンプ９２２へ流れ、それによってポンプ９２０の入口と液体連通するようになっているとともに、ポンプ９２０を液体中に浸漬させるようになっており、ポンプ９２０の十分な冷却を維持するようになっている。第１の供給弁９２４は、タンク９１２の底部における第１の供給ライン９１８の第１の端部９１８ａとポンプ９２０における第１の供給ライン９１８の第２の端部９１８ｂとの間で第１の供給ライン９１８内に位置する。第１の例示実施形態と同様に、液体ヘッドは、タンク９１２内の極低温液体９１４の液位がポンプ９２０の吸引点の上方となる高さの相対的な差によって確立されると理解されよう。また、ポンプ９２０が確実に動作するために、液体ヘッドは、ポンプのＮＰＳＨとポンプ入口へ流れる液体によって受ける圧力損失との合計よりも大きいかまたはそれと少なくとも等しくなければならない。
【００４７】
[0056]タンク９１２の底部よりも上に持ち上げられた高さで極低温液体９３５を保持するように構成された領域を規定する槽９３４が設けられ、槽９３４は、タンク９１２と液体連通している。槽９３４は、タンク９１２の上部におけるタンク９１２内で吊り下げられ、上向きに広がる開口部を有する。第３の例示実施形態のシステム９１０は、ポンプ９２０を利用するリサイクル回路または再循環回路を含まない。そうではなく、再循環回路は、タンク９１２の底部と第１の端部９４０ａで液体連通しているとともに、再循環ポンプ９４２と第２の端部９４０ｂで液体連通している再循環供給導管またはライン９４０を備える。再循環供給弁９４４は、タンク９１２の底部における第１の端部９４０ａとポンプ９４２における第２の端部９４０ｂとの間で再循環供給ライン９４０内に位置する。次いで、再循環回路は、再循環ポンプ９４２における第１の端部９４６ａおよび槽９３４における第２の端部９４６ｂから延びる リサイクルライン９４６によって完成され得る。再循環ポンプ９４２は、それが送り出しに使用されないので、通常の主ポンプ９２０よりも低い性能パラメータを有し得る比較的小さいポンプであることが理解されよう。したがって、ポンプ９４２は、より小さいＮＰＳＨも有する。
【００４８】
[0057]送り出し導管またはライン９３０は、ポンプ９２０と液体連通しており、分配弁９３２は、送り出された極低温液体９１４の流れを制御するために分配ライン９３０内に位置する。
【００４９】
[0058]第２の供給導管またはライン９３６は、槽９３４の底部と第１の端部９３６ａで液体連通しているとともに、ポンプ９２０と第２の端部 ９１８ｂで液体連通している。第２の供給弁９３８は、槽９３４の底部における第１の端部８３６ａとポンプ９２０における第２の端部９３６ｂとの間で第２の供給ライン９３６内に位置する。極低温液体を槽９３４から第２の供給ライン９３６を通じて引き出すときに、槽９３４内の極低温液体９３５の液位がポンプ９２０の吸引点の上方となる高さの相対的な差によって確立された液体ヘッドは、極低温液体がタンク９１２内で低い液位にあるときにさもなければ確立される液体ヘッドより大きくなると理解されよう。適宜、第１および第２の供給弁９２４および９３８は、三方弁と置き換えられてもよいということも理解されよう。
【００５０】
[0059]第２の例示実施形態のシステム９１０は、第１の例示実施形態のシステム９１０と同様に動作し得るが、タンク内の液体が所望の液位未満に降下するときに、比較的小さいポンプ９４２が液体の再循環全てを行い、持ち上げられた槽９３４に常に供給し、それによりタンク９１２の底または持ち上げられた槽９３４からの供給を可能にし、それによって、システムが液体を送り出すのに十分なヘッド圧力を与えないときに、持ち上げられた槽９３４から極低温液体を引き出すことによってタンク９１２内の極低温液体を利用し続ける。
【００５１】
[0060]要するに、持ち上げられた槽、ならびに第２の供給ラインおよび供給弁を加えることによって、極低温液体がより高い位置へポンプで送られることを可能にし、ポンプが確実に動作するための十分な液体ヘッドを与えるとともに、さもなければタンクから取り出しできない極低温液体を送り出す能力を強化する。また、例示実施形態に示されるように、極低温液体を持ち上げられた槽へポンプで送ることは、システムポンプによってまたは比較的小さい別個のポンプによって実現することができ、より小さいポンプによる場合、システムは、比較的大きいシステムポンプによって極低温液体をタンクへ再循環させることを行っても行わなくてもよい。
【００５２】
[0061]タンク内の液体をより良く利用するこれらの解決策は、極低温液体送り出しシステムに使用されるための任意の水平タンクに適用することができるが、この解決策は、極低温液体送り出しシステムに使用するために任意の垂直タンク（水平断面積よりも大きい垂直断面積を有するタンク）に適用されてもよいことも理解されよう。
【００５３】
[0062]本開示の好適な実施形態を図示および例示してきたが、添付の特許請求の範囲によって範囲が定められる本開示の趣旨から逸脱することなく本明細書に変更および修正がなされてもよいことが当業者には明らかであろう。
【符号の説明】
【００５４】
１１０  極低温液体送り出しシステム、送り出しシステム、システム
１１２  タンク
１１４  極低温液体
１１６  蒸気ヘッドスペース
１１８  第１の供給導管またはライン、第１の供給ライン
１１８ａ  第１の端部
１１８ｂ  第２の端部
１２０  ポンプ
１２２  別個の容器またはサンプ、サンプ
１２４  第１の供給弁
１２６  リサイクル導管またはライン、リサイクルライン
１２６ａ  第１の端部
１２６ｂ  第２の端部
１２８  リサイクル弁
１３０  送り出し導管またはライン、分配ライン
１３２  分配弁
１３４  槽
１３５  極低温液体
１３６  第２の供給導管またはライン、第２の供給ライン
１３６ａ  第１の端部
１３６ｂ  第２の端部
１３８  第２の供給弁
２１２  タンク
２１４  極低温液体
２１８  第１の供給ライン
２２４  第１の供給弁
２２６  リサイクルライン
２３４  槽
２３５  極低温液体
２３６  第２の供給ライン
２３８  第２の供給弁
３１２  タンク
３１４  極低温液体
３１８  第１の供給ライン
３２４  第１の供給弁
３２６  リサイクルライン
３３４  槽
３３５  極低温液体
３３６  第２の供給ライン
３３８  第２の供給弁
４１２  タンク
４１４  極低温液体
４１８  第１の供給ライン
４２４  第１の供給弁
４２６  リサイクルライン
４３４  槽
４３５  極低温液体
４３６  第２の供給ライン
４３８  第２の供給弁
５１２  タンク
５１４  極低温液体
５１８  第１の供給ライン
５２４  第１の供給弁
５２６  リサイクルライン
５３４  槽
５３５  極低温液体
５３６  第２の供給ライン
５３８  第２の供給弁
６１２  タンク
６１４  極低温液体
６１８  第１の供給ライン
６２４  第１の供給弁
６２６  リサイクルライン
６３４  槽
６３５  極低温液体
６３６  第２の供給ライン
６３７  ウェブ
６３８  第２の供給弁
７１２  タンク
７１４  極低温液体
７１８  第１の供給ライン
７２４  第１の供給弁
７２６  リサイクルライン
７３４  槽
７３５  極低温液体
７３６  第２の供給ライン
７３７  導管または溢れライン、溢れライン
７３８  第２の供給弁
８１０  極低温液体送り出しシステム、システム
８１２  タンク
８１４  極低温液体
８１６  蒸気ヘッドスペース
８１８  第１の供給導管またはライン、第１の供給ライン
８１８ａ  第１の端部
８１８ｂ  第２の端部
８２０  ポンプ、主ポンプ
８２２  別個の容器またはサンプ、サンプ
８２４  第１の供給弁
８２６  リサイクル導管またはライン
８２６ａ  第１の端部
８２６ｂ  第２の端部
８２８  リサイクル弁
８３０  送り出し導管またはライン、分配ライン
８３２  分配弁
８３４  槽
８３５  極低温液体
８３６  第２の供給導管またはライン、第２の供給ライン
８３６ａ  第１の端部
８３６ｂ  第２の端部
８３８  第２の供給弁
８４０  再循環供給導管またはライン
８４０ａ  第１の端部
８４０ｂ  第２の端部
８４２  再循環ポンプ、ポンプ
８４４  再循環供給弁
８４６  リサイクルライン
８４６ａ  第１の端部
８４６ｂ  第２の端部
８４８  リサイクル弁
９１０  極低温液体送り出しシステム、システム
９１２  タンク
９１４  極低温液体
９１６  蒸気ヘッドスペース
９１８  第１の供給導管またはライン、第１の供給ライン
９１８ａ  第１の端部
９１８ｂ  第２の端部
９２０  ポンプ、通常の主ポンプ
９２２  別個の容器またはサンプ、サンプ
９２４  第１の供給弁
９３０  送り出し導管またはライン
９３４  槽
９３５  極低温液体
９３６  第２の供給導管またはライン、第２の供給ライン
９３６ａ  第１の端部
９３６ｂ  第２の端部
９３８  第２の供給弁
９４０  再循環供給導管またはライン
９４０ａ  第１の端部
９４０ｂ  第２の端部
９４２  再循環ポンプ、ポンプ
９４４  再循環供給弁
９４６  リサイクルライン
９４６ａ  第１の端部
９４６ｂ  第２の端部
【図１】
2020091036.tif 000003
【図２】
2020091036.tif 000004
【図３】
2020091036.tif 000005
【図４】
2020091036.tif 000006
【図５】
2020091036.tif 000007
【図６】
2020091036.tif 000008
【図７】
2020091036.tif 000009
【図８】
2020091036.tif 000010
【図９】
2020091036.tif 000011
【図１０】
2020091036.tif 000012
【外国語明細書】
2020091036000001.pdf